(57)【要約】【課題】より幅広い通信環境において、映像等のコンテンツデータの提供を実現すること。【解決手段】音声通話処理が実行されている場合に、コンテンツデータ生成部によって生成されたコンテンツデータを、所定の記憶領域に保存する制御部と、前記コンテンツデータを表示するためのマークアップ言語で記載されたウェブデータを送信することによって、前記所定の記憶領域に保存された前記コンテンツデータを、他の端末装置による要求に応じて前記他の端末装置に送信する提供部と、を備える端末装置である。【選択図】図１
2016024691.tif 000002
【特許請求の範囲】
【請求項１】
音声通話処理が実行されている場合に、コンテンツデータ生成部によって生成されたコンテンツデータを、所定の記憶領域に保存する制御部と、
前記コンテンツデータを表示するためのマークアップ言語で記載されたウェブデータを送信することによって、前記所定の記憶領域に保存された前記コンテンツデータを、他の端末装置による要求に応じて前記他の端末装置に送信する提供部と、
を備える端末装置。
【請求項２】
前記制御部は、前記所定の記憶領域に保存されている前記コンテンツデータを所定のタイミングで更新し、
前記ウェブデータには、前記所定の記憶領域に保存されている前記コンテンツデータを所定のタイミングで再取得することが定義されている、請求項１に記載の端末装置。
【請求項３】
前記制御部は、前記コンテンツデータ又は前記ウェブデータの所在を示す情報を音声通話の制御信号に含めて前記他の端末装置に送信する、請求項１又は２に記載の端末装置。
【請求項４】
音声通話処理が実行されている場合に、コンテンツデータ生成部によって生成されたコンテンツデータを、所定の記憶領域に保存する制御ステップと、
前記コンテンツデータを表示するためのマークアップ言語で記載されたウェブデータを送信することによって、前記所定の記憶領域に保存された前記コンテンツデータを、他の端末装置による要求に応じて前記他の端末装置に送信する提供ステップと、
を有するコンテンツデータ提供方法。
【請求項５】
音声通話処理が実行されている場合に、コンテンツデータ生成部によって生成されたコンテンツデータを、所定の記憶領域に保存する制御ステップと、
前記コンテンツデータを表示するためのマークアップ言語で記載されたウェブデータを送信することによって、前記所定の記憶領域に保存された前記コンテンツデータを、他の端末装置による要求に応じて前記他の端末装置に送信する提供ステップと、
をコンピュータに実行させるためのコンピュータプログラム。
【請求項６】
送信端末が、音声通話処理が実行されている場合に、コンテンツデータ生成部によって生成されたコンテンツデータを、所定の記憶領域に保存する制御ステップと、
受信端末が、前記送信端末に対して、前記コンテンツデータを表示するためのマークアップ言語で記載されたウェブデータを要求する要求ステップと、
送信端末が、前記ウェブデータを前記受信端末に送信する送信ステップと、
受信端末が、前記ウェブデータに基づいて前記コンテンツデータを表示する表示ステップと、
を有するコンテンツデータ提供方法。
【発明の詳細な説明】
【技術分野】
【０００１】
本発明は、コンテンツデータを送信する技術に関する。
【背景技術】
【０００２】
従来、ＶｏＩＰ（Voice over Internet Protocol）等の通話機能とともに映像等のコンテンツの送受信機能を実現する技術が提供されている（例えば特許文献１参照）。これらの技術では、専用のサーバや専用のアプリケーションを用いることによって両機能が実現されていた。
【先行技術文献】
【特許文献】
【０００３】
【特許文献１】特開２００９−２７２７１６号公報
【発明の概要】
【発明が解決しようとする課題】
【０００４】
しかしながら、専用のサーバや専用のアプリケーションを用いた場合、ファイアウォール等の通信環境によっては、映像等のコンテンツの送受信機能を実現できない場合があった。
上記事情に鑑み、本発明は、より幅広い通信環境において、映像等のコンテンツデータの提供を実現できる技術の提供を目的としている。
【課題を解決するための手段】
【０００５】
本発明の一態様は、音声通話処理が実行されている場合に、コンテンツデータ生成部によって生成されたコンテンツデータを、所定の記憶領域に保存する制御部と、前記コンテンツデータを表示するためのマークアップ言語で記載されたウェブデータを送信することによって、前記所定の記憶領域に保存された前記コンテンツデータを、他の端末装置による要求に応じて前記他の端末装置に送信する提供部と、を備える端末装置である。
【０００６】
本発明の一態様は、上記の端末装置であって、前記制御部は、前記所定の記憶領域に保存されている前記コンテンツデータを所定のタイミングで更新し、前記ウェブデータには、前記所定の記憶領域に保存されている前記コンテンツデータを所定のタイミングで再取得することが定義されている。
【０００７】
本発明の一態様は、上記の端末装置であって、前記制御部は、前記コンテンツデータ又は前記ウェブデータの所在を示す情報を音声通話の制御信号に含めて前記他の端末装置に送信する。
【０００８】
本発明の一態様は、音声通話処理が実行されている場合に、コンテンツデータ生成部によって生成されたコンテンツデータを、所定の記憶領域に保存する制御ステップと、前記コンテンツデータを表示するためのマークアップ言語で記載されたウェブデータを送信することによって、前記所定の記憶領域に保存された前記コンテンツデータを、他の端末装置による要求に応じて前記他の端末装置に送信する提供ステップと、を有するコンテンツデータ提供方法である。
【０００９】
本発明の一態様は、音声通話処理が実行されている場合に、コンテンツデータ生成部によって生成されたコンテンツデータを、所定の記憶領域に保存する制御ステップと、前記コンテンツデータを表示するためのマークアップ言語で記載されたウェブデータを送信することによって、前記所定の記憶領域に保存された前記コンテンツデータを、他の端末装置による要求に応じて前記他の端末装置に送信する提供ステップと、をコンピュータに実行させるためのコンピュータプログラムである。
【００１０】
本発明の一態様は、送信端末が、音声通話処理が実行されている場合に、コンテンツデータ生成部によって生成されたコンテンツデータを、所定の記憶領域に保存する制御ステップと、受信端末が、前記送信端末に対して、前記コンテンツデータを表示するためのマークアップ言語で記載されたウェブデータを要求する要求ステップと、送信端末が、前記ウェブデータを前記受信端末に送信する送信ステップと、受信端末が、前記ウェブデータに基づいて前記コンテンツデータを表示する表示ステップと、を有するコンテンツデータ提供方法である。
【発明の効果】
【００１１】
本発明により、より幅広い通信環境において、映像等のコンテンツデータの提供を実現することが可能となる。
【図面の簡単な説明】
【００１２】
【図１】通信システム１のシステム構成を表すシステム構成図である。
【図２】通信システム１の処理の流れの例を表すシーケンスチャートである。
【発明を実施するための形態】
【００１３】
図１は、通信システム１のシステム構成を表すシステム構成図である。通信システム１は、第一端末装置１０及び第二端末装置２０を含む。
【００１４】
第一端末装置１０は、通信機能を備えた情報処理装置である。第一端末装置１０は、例えば携帯電話機、スマートフォン、タブレット、携帯ゲーム機又はパーソナルコンピュータである。第一端末装置１０は、バスで接続されたＣＰＵ（Central Processing Unit）やメモリや補助記憶装置などを備える。第一端末装置１０は、プログラムを実行することによって、通信部１０１、音声入力部１０２、音声出力部１０３、画像生成部１０４、通話制御部１０５、記憶部１０６及び画像提供部１０７を備える装置として機能する。
【００１５】
なお、第一端末装置１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。第一端末装置１０において実行されるプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。第一端末装置１０において実行されるプログラムは、電気通信回線を介して送信されても良い。
【００１６】
通信部１０１は、ネットワークを介して第二端末装置２０と通信する。通信部１０１は、無線通信を行うネットワークインタフェースであってもよいし、有線通信を行うネットワークインタフェースであってもよい。
【００１７】
音声入力部１０２は、第一端末装置１０の周囲の音声を取得し、取得された音声を音声データに変換する。音声入力部１０２は、例えばマイクである。音声入力部１０２は、音声データを通話制御部１０５に出力する。
【００１８】
音声出力部１０３は、音声データに基づいて音声を出力する。音声出力部１０３は、例えばスピーカーである。音声出力部１０３は、例えば通話制御部１０５から出力された音声データに基づいて音声を出力する。
【００１９】
画像生成部１０４は、画像を生成する。画像生成部１０４は、例えばスチルカメラやビデオカメラ等の撮像装置であってもよい。この場合、画像生成部１０４は、静止画像を撮像することによって画像を生成する。なお、画像生成部１０４は、ビデオカメラを用いて構成された場合、撮像された動画像から静止画像を生成してもよい。また、画像生成部１０４は、ユーザの操作又は画像生成処理の実行によって、所定のタイミングでコンピュータグラフィック等の画像を生成してもよい。画像生成部１０４は、生成された画像を通話制御部１０５に出力する。
【００２０】
通話制御部１０５は、ユーザに対し音声通話を提供するための処理（以下、「音声通話処理」という。）を実行する。通話制御部１０５は、例えばＶｏＩＰに基づいて音声通話処理を実行してもよい。通話制御部１０５は、音声通話処理において、音声入力部１０２を介して入力される音声データを通話相手の端末（例えば第二端末装置２０）へ送信する。通話制御部１０５は、音声通話処理において、通話相手の端末（例えば第二端末装置２０）から受信された音声データを、音声出力部１０３を介して出力する。
【００２１】
また、通話制御部１０５は、画像生成部１０４によって生成された画像を、所定のタイミングで記憶部１０６に書き込む。通話制御部１０５が画像を書き込むアドレスは、画像を配置するためのアドレス（以下、「画像配置アドレス」という。）として予め定められている。この場合、画像配置アドレスに書き込まれる画像データのファイル名も予め設定されていてもよい。
【００２２】
記憶部１０６は、ハードディスク装置や半導体記憶装置等の記憶装置を用いて構成される。記憶部１０６が有する記憶領域内には、画像配置アドレスが設定されている。記憶部１０６は、画像データ及びウェブデータを記憶する。
【００２３】
画像提供部１０７は、記憶部１０６の画像配置アドレスに書き込まれている画像を、要求元（例えば第二端末装置２０）に対して提供する。画像提供部１０７は、例えばＨＴＴＰＤ（Hyper Text Transfer Protocol Daemon）として機能しても良い。この場合、画像提供部１０７は、ＨＴＴＰ（Hyper Text Transfer Protocol）によるウェブデータの要求（データリクエスト）を受ける。画像提供部１０７は、要求元に対し、所定のウェブデータを提供する。所定のウェブデータは、例えばＨＴＭＬ（Hyper Text Markup Language）やＸＨＴＭＬ（Extensible Hyper Text Markup Language）等のマークアップ言語で記述されてもよい。所定のウェブデータには、画像配置アドレスに配置されている画像を表示するためのデータが含まれている。所定のウェブデータには、画像配置アドレスに配置されている画像を所定のタイミングで繰り返し取得して再表示することを表すデータが含まれてもよい。このようなデータは、例えばJavaScript（ジャバスクリプト（登録商標））によって作成されてもよい。
【００２４】
第二端末装置２０は、通信機能を備えた情報処理装置である。第二端末装置２０は、例えば携帯電話機、スマートフォン、タブレット、携帯ゲーム機又はパーソナルコンピュータである。第二端末装置２０は、バスで接続されたＣＰＵやメモリや補助記憶装置などを備える。第二端末装置２０は、プログラムを実行することによって、通信部２０１、音声入力部２０２、音声出力部２０３、通話制御部２０４、表示部２０５及び画像取得部２０６を備える装置として機能する。
【００２５】
なお、第二端末装置２０の各機能の全て又は一部は、ＡＳＩＣやＰＬＤやＦＰＧＡ等のハードウェアを用いて実現されても良い。第二端末装置２０において実行されるプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ）等の可搬媒体、コンピュータシステムに内蔵されるハードディスクや半導体記憶装置等の記憶装置である。第二端末装置２０において実行されるプログラムは、電気通信回線を介して送信されても良い。
【００２６】
通信部２０１は、ネットワークを介して第一端末装置１０と通信する。通信部２０１は、無線通信を行うネットワークインタフェースであってもよいし、有線通信を行うネットワークインタフェースであってもよい。
【００２７】
音声入力部２０２は、第二端末装置２０の周囲の音声を取得し、取得された音声を音声データに変換する。音声入力部２０２は、例えばマイクである。音声入力部２０２は、音声データを通話制御部２０４に出力する。
【００２８】
音声出力部２０３は、音声データに基づいて音声を出力する。音声出力部２０３は、例えばスピーカーである。音声出力部２０３は、例えば通話制御部２０４から出力された音声データに基づいて音声を出力する。
【００２９】
通話制御部２０４は、音声通話処理を実行する。通話制御部２０４は、例えばＶｏＩＰに基づいて音声通話処理を実行してもよい。通話制御部２０４は、音声通話処理において、音声入力部２０２を介して入力される音声データを通話相手の端末（例えば第一端末装置１０）へ送信する。通話制御部２０４は、音声通話処理において、通話相手の端末（例えば第一端末装置１０）から受信された音声データを、音声出力部２０３を介して出力する。
【００３０】
表示部２０５は、ＣＲＴ（Cathode Ray Tube）ディスプレイ、液晶ディスプレイ、有機ＥＬ（Electro Luminescence）ディスプレイ等の画像表示装置である。表示部２０５は、画像又はテキストを表示する。表示部２０５は、画像表示装置を第二端末装置２０に接続するためのインタフェースであっても良い。この場合、表示部２０５は、画像又はテキストを表示するための映像信号を生成し、自身に接続されている画像表示装置に映像信号を出力する。
【００３１】
画像取得部２０６は、通話相手の端末（例えば第一端末装置１０）において生成された画像を取得する。画像取得部２０６は、例えばウェブブラウザとして機能してもよい。この場合、画像取得部２０６は、ＨＴＴＰで第一端末装置１０にウェブデータを要求する。画像取得部２０６は、第一端末装置１０から所定のウェブデータを取得する。所定のウェブデータは、例えばＨＴＭＬやＸＨＴＭＬ等のマークアップ言語で記述されてもよい。所定のウェブデータには、第一端末装置１０の画像配置アドレスに配置されている画像を表示するためのデータが含まれている。所定のウェブデータには、画像配置アドレスに配置されている画像を所定のタイミングで繰り返し取得して再表示することを表すデータが含まれてもよい。このようなデータは、例えばJavaScript（ジャバスクリプト（登録商標））によって作成されてもよい。画像取得部２０６は、取得されたウェブデータにしたがって、取得された画像を表示部２０５に表示する。
【００３２】
図２は、通信システム１の処理の流れの例を表すシーケンスチャートである。図２に示される処理が開始される前に、第一端末装置１０と第二端末装置２０との間で音声通話セッションが確立されており、音声通話処理が実行されている。
【００３３】
まず、第一端末装置１０が、画像送信処理の開始指示をユーザから受け付ける（ステップＳ１０１）。開始指示は、例えば不図示の入力装置をユーザが操作することによって受け付けられてもよい。画像送信処理の開始指示が受け付けられると、通話制御部１０５は、画像提供部１０７を起動させる（ステップＳ１０２）。通話制御部１０５は、ウェブデータを取得するための情報（以下、「リクエスト先情報」という。）を含む制御信号を生成する（ステップＳ１０３）。リクエスト先情報は、例えば第一端末装置１０のＩＰアドレスやＵＲＬ（Uniform Resource Locator）やＤＮＳ（Domain Name Server）名であってもよい。また、リクエスト先情報は、画像配置アドレスであってもよい。リクエスト先情報は、例えば“http://（ＩＰアドレス）/~（画像配置アドレス）”のように表されてもよい。
【００３４】
リクエスト先情報が含められる制御信号は、例えば音声通話処理の実行において第二端末装置２０に送信される制御信号である。より具体的には、制御信号は、ＳＩＰ（Session Initiation Protocol）の制御信号であってもよい。この場合、リクエスト先情報は、例えばＳＩＰ制御信号の所定のヘッダに記録されてもよい。画像取得部２０６は、ＳＩＰ制御信号の所定のヘッダを参照することによってリクエスト先情報を取得してもよい。
【００３５】
通話制御部１０５は、通話相手の端末（第二端末装置２０）に対し制御信号を送信する（ステップＳ１０４）。
第二端末装置２０の通話制御部２０４は、制御信号の所定のヘッダからリクエスト先情報を取得する。通話制御部２０４は、リクエスト先情報に基づいてウェブデータをリクエストするように画像取得部２０６を制御する。画像取得部２０６は、リクエスト先情報に対してウェブデータのリクエスト（データリクエスト）を送信する（ステップＳ１０５）。
【００３６】
第一端末装置１０の画像提供部１０７は、第二端末装置２０から送信されたデータリクエストを受信すると、リクエスト先情報に応じたウェブデータ（上記「所定のウェブデータ」）を記憶部１０６から取得する。そして、画像提供部１０７は、データリクエストの送信元（第二端末装置２０）に対し、所定のウェブデータを送信する（ステップＳ１０６）。第一端末装置１０の画像生成部１０４は、画像データを生成する（ステップＳ１０７）。通話制御部１０５は、生成された画像データを、記憶部１０６の画像配置アドレスに書き込む（ステップＳ１０８）。
【００３７】
第二端末装置２０の画像取得部２０６は、ステップＳ１０６において取得されたウェブデータの記述に従って、画像配置アドレスに記録されている画像データを第一端末装置１０に要求する。例えば、画像取得部２０６は、画像データのリクエストを送信することによって、画像データを要求する（ステップＳ１０９）。
【００３８】
第一端末装置１０の画像提供部１０７は、画像データのリクエストに応じて、画像配置アドレスの画像データを第二端末装置２０に送信する（ステップＳ１１０）。第二端末装置２０の画像取得部２０６は、第一端末装置１０から画像データを受信すると、受信された画像データを表示部２０５に表示させる（ステップＳ１１１）。
【００３９】
第一端末装置１０の通話制御部１０５は、所定の時間が経過するまで画像データの更新を待機する（ステップＳ１１２−ＮＯ）。所定の時間が経過すると（ステップＳ１１２−ＹＥＳ）、通話制御部１０５は、画像生成部１０４によって新たに生成された画像データを画像配置アドレスに書き込む。すなわち、ステップＳ１０７及びステップＳ１０８の処理が実行される。
【００４０】
第二端末装置２０の画像取得部２０６は、ステップＳ１０６において取得されたウェブデータの記述に従って、所定の時間が経過するまで画像データの更新を待機する（ステップＳ１１３−ＮＯ）。所定の時間が経過すると（ステップＳ１１３−ＹＥＳ）、画像取得部２０６は、ウェブデータの記述に従って、画像配置アドレスに配置されている画像データを第一端末装置１０に要求する。すなわち、ステップＳ１０９の処理が実行される。第二端末装置２０によるステップＳ１０９の処理の実行に応じて、第一端末装置１０の画像提供部１０７は、更新された画像データを第二端末装置２０へ送信する（ステップＳ１１０）。そして、第二端末装置２０の画像取得部２０６は、更新された画像データを表示部２０５に表示させる（ステップＳ１１１）。
以上のように、所定の時間が経過する度にステップＳ１０７〜Ｓ１１３の処理が繰り返し実行される。
【００４１】
このように構成された通信システム１によれば、第一端末装置１０によって生成された画像が第二端末装置２０において表示される。また、第二端末装置２０において表示される画像は、所定の時間間隔で更新される。時間間隔は、どのように設定されてもよい。例えば、時間間隔は０．１秒であってもよいし、１秒であってもよいし、数秒であってもよい。この時間間隔が十分に短ければ、実際には動画像データを送受信することなく、第二端末装置２０においてあたかも動画像が再生されているように画像を表示することが可能となる。動画像の送受信では、処理及び通信の負荷が大きいが、通信システム１では静止画像の送受信であるため処理及び通信の負荷が小さい。そのため、処理性能や通信帯域が狭い端末装置１０に対しても、あたかも動画像が再生されているような画像を表示させることが可能となる。
【００４２】
また、通信システム１では、ウェブデータを介してコンテンツデータが提供される。ウェブデータの送受信は、一般的に行われる通信である。すなわち、ウェブデータの送受信のためのポートが閉じられている通信環境は非常に少ない。そのため、通信システム１では、より幅広い通信環境においてコンテンツデータの提供を実現することが可能である。
【００４３】
また、通信システム１では、音声通話は通話制御部１０５及び通話制御部２０４によって実現され、画像データの送受信は画像提供部１０７及び画像取得部２０６によって実現される。そのため、例えば音声通話をＶｏＩＰ等の音声通話用のプロトコルで実現しつつ、ブラウザに随時更新される画像データを表示させることが可能となる。例えば、第一端末装置１０における画像生成部１０４が、通話者の顔を撮像するカメラとして構成されてもよい。この場合、第二端末装置２０のユーザは、あたかも動画像のように再生される通話相手の顔をブラウザで見ながら、第一端末装置１０のユーザと音声通話することが可能となる。
【００４４】
また、通信システム１では、リクエスト先情報が、画像データのファイルを表す情報ではなく、ウェブデータのファイルを表す情報であってもよい。このように構成されることによって、いわゆるブラウザ依存を排除することが可能となる。たとえば、リクエスト先情報が画像データのファイルを表す場合、ブラウザの種類によっては画像の保存ウィンドウが開かれてしまうなど動作が一定ではない。これに対し、リクエスト先情報がウェブデータのファイルを表すことにより、ブラウザはマークアップ言語で記述されたウェブデータを取得するため、その後の動作が一定のものになる。
【００４５】
また、通信システム１では、上述のように、画像配置アドレスに配置されている画像が所定のタイミングで繰り返し取得して再表示することを表すデータがウェブデータに含まれていてもよい。このように構成されることによって、更新された画像データが自動的に表示部２０５に表示される。したがって、更新された画像データを見るためにユーザがリロード（再読込）を手動で行う必要が無くなる。
【００４６】
また、通信システム１では、上述のように、画像配置アドレスに書き込まれる画像データのファイル名も予め設定されていてもよい。このように構成されることによって、第一端末装置１０の記憶部１０６には、通話制御部１０５によって記録される画像データが常に１つとなる。そのため、記憶部１０６の記憶領域の圧迫を防ぐことが可能となる。さらに、第二端末装置２０に対して送信されるウェブデータ内に記述された画像データのファイル名を更新する必要が無くなる。
【００４７】
リクエスト先情報は、第一端末装置１０に対して割り当てられた電話番号であってもよい。この場合、第二端末装置２０の通話制御部２０４は、リクエスト先情報が示す電話番号に対応するＩＰアドレスを、不図示の通話制御サーバに対して問い合わせる。通話制御サーバは、電話番号とＩＰアドレスとを対応付けたテーブルを予め記憶している。通話制御サーバは、第二端末装置２０から受けた問い合わせに応じて、電話番号に対応するＩＰアドレス（第一端末装置１０のＩＰアドレス）を第二端末装置２０へ通知する。第二端末装置２０の通話制御部２０４は、通話制御サーバから通知されたＩＰアドレスを画像取得部２０６に通知する。画像取得部２０６は、通知されたＩＰアドレスに対してウェブデータのリクエストを送信する。
【００４８】
このように構成されることにより、第一端末装置１０のユーザは、口頭やメールなどでリクエスト先情報を第二端末装置２０のユーザに通知する際に、ＵＲＬやＩＰアドレスなどの文字数の多い情報を伝えずに、電話番号を伝えればよい。
【００４９】
第二端末装置２０の画像取得部２０６は、リクエスト先情報に対してウェブデータのリクエストを送信したにもかかわらずウェブデータを取得できない場合、通話制御部２０４に対してエラー出力を行ってもよい。この場合、通話制御部２０４は、既に行われている音声通話の通話先電話番号に対応するＩＰアドレスを通話制御サーバに問い合わせる。そして、通話制御サーバから取得されたＩＰアドレスを画像取得部２０６に通知する。画像取得部２０６は、通知されたＩＰアドレスに対してウェブデータのリクエストを送信する。
【００５０】
（変形例）
リクエスト先情報には、画像配置アドレスに関する情報が含まれていなくてもよい。この場合、第一端末装置１０の画像提供部１０７は、第二端末装置２０からリクエストを受けた際に提供するウェブデータが予め設定されていてもよい。画像提供部１０７は、ウェブデータのリクエストを受けた際に、予め設定されているフォルダ（ウェブデータが記録されているフォルダ）又は予め設定されているファイル（ウェブデータ）に対して第二端末装置２０をリダイレクトさせてもよい。
【００５１】
第一端末装置１０の通話制御部１０５は、リクエスト先情報を第二端末装置２０に送信しないように構成されてもよい。この場合、第二端末装置２０は以下のように動作する。通話制御部２０４は、第一端末装置１０との間で音声通話のコネクションを生成するタイミングで、第一端末装置１０のＩＰアドレスを取得する。そのため、図２に示されるシーケンスチャートの処理が、既に音声通話セッションが確立された後に動作する場合には、ステップＳ１０５の処理が実行される前に通話制御部２０４は第一端末装置１０のＩＰアドレスを取得している。この場合、通話制御部２０４は、第一端末装置１０のＩＰアドレスに対してウェブデータの取得をするように画像取得部２０６を制御する。例えば、画像取得部２０６は、“http://（ＩＰアドレス）”に対してデータリクエストを送信してもよい。
【００５２】
第一端末装置１０から第二端末装置２０に提供されるデータは、上述した画像データに限定される必要は無く、画像とは異なるコンテンツデータであってもよい。すなわち、画像生成部１０４、画像提供部１０７及び画像取得部２０６は、それぞれコンテンツデータ生成部、コンテンツデータ提供部及びコンテンツデータ取得部として構成されてもよい。コンテンツデータの具体例として、血圧や心拍等の生体情報、温度や湿度等の環境情報、客数や混雑率等の店舗情報などがある。コンテンツデータ生成部は、例えば上記の各コンテンツデータを取得するためのセンサとして構成されてもよい。通話制御部１０５は、画像データに代えてコンテンツデータを画像配置アドレスに相当するアドレスに書き込む。
通話制御部２０４は、通常時は動画像を用いた音声通話を実行し、動画像を用いた音声通話の実行が難しい場合に画像取得部２０６に対して画像の取得を指示するように構成されてもよい。動画像を用いた音声通話の実行が難しい場合とは、例えば通信帯域が狭い場合や、ファイアウォールが設置されている場合などである。
【００５３】
図２に記載されたシーケンスチャートの処理は、音声通話が実行されていない状態で開始されてもよい。
以上、この発明の実施形態について図面を参照して詳述してきたが、具体的な構成はこの実施形態に限られるものではなく、この発明の要旨を逸脱しない範囲の設計等も含まれる。
【符号の説明】
【００５４】
１…通信システム，  １０１…通信部，  １０２…音声入力部，  １０３…音声出力部，  １０４…画像生成部，  １０５…通話制御部，  １０６…記憶部，  １０７…画像提供部，  ２０１…通信部，  ２０２…音声入力部，  ２０３…音声出力部，  ２０４…通話制御部，  ２０５…表示部，  ２０６…画像取得部
【図１】
2016024691.tif 000003
【図２】
2016024691.tif 000004